(57)【要約】本発明は、望ましくはリッツ線である編まれたワイヤを固定する端部を具備する、少なくとも１つのピンを有し、結果的に成形の高さを低減するコイルに係る。該ピンの端部は、スロットを形成するＵ型部を有し、このスロットは、ワイヤの直径と等しいかそれよりも小さい内部幅を有する。従って、固定ピンは、巻付け中、ワイヤに安定した固定位置を与えることと、固定ピンはリッツ線用に使用されうることとが得られ、それによって従来技術の課題を解決するとともに、その後の半田付け工程への有効な基礎を得られる。更に、コイルの高さは、従来技術のコイルよりも低くなる。
2006503430.tif 000002
【特許請求の範囲】
【請求項１】
望ましくはリッツ線である編まれたワイヤを固定する端部を具備する、少なくとも１つのピンを有するコイルであって、
前記ピンの端部は、スロットを形成するＵ型部を有し、前記スロットは、前記ワイヤの直径と等しいかそれよりも小さい内部幅を有する、ことを特徴とするコイル。
【請求項２】
前記ピンの端部は、前記コイルから半径方向に水平に突出することを特徴とする、請求項１記載のコイル。
【請求項３】
前記ピンの端部は、前記コイルから半径方向に垂直に突出することを特徴とする、請求項１記載のコイル。
【請求項４】
前記スロットの前記幅は、前記スロットの閉端部に向かって減少することを特徴とする、請求項１記載のコイル。
【請求項５】
コイル用の固定ピンであって、前記ピンは、スロットを形成するＵ型部を有する端部を有し、前記スロットは、前記リッツ線の直径と等しいかそれよりも小さい内部幅を有する、コイル用の固定ピン。
【請求項６】
請求項１記載のコイルを具備する、電力変換装置。
【請求項７】
請求項５記載の固定ピンを具備するコイルを有する、電力変換装置。
【発明の詳細な説明】
【技術分野】
【０００１】
本発明は、望ましくはリッツ線である編まれたワイヤを固定する端部を具備する、少なくとも１つのピンを有し、結果的には組立て高さ低減するコイルに係る。
【背景技術】
【０００２】
コイルの製造に使用されるワイヤは、多様な種類及び形状を有する。本発明は、主に、複数の撚り線で編まれたワイヤである、リッツ線に係る。個々の撚り線は、一定のパターンの捻り及び撚りの長さで、まとめて束ねられるか又は編まれてよい。
【０００３】
従って、「ｌｉｔｚｅｎｄｒａｈｔ」ワイヤとも呼ばれるリッツ線は、個々に絶縁された撚り線の束であり、例えば直径０．１ｍｍの撚り線が１６本（１６×０．１）であってよい。絶縁材料は、ポリマ等でよい。リッツ線には、繊維製品等によって更に絶縁されているものもある。
【０００４】
リッツ線は、コイルに使用され、電力損失を最低限に抑え、また、固体導線で頻繁に発生する、高周波数でのいわゆる「表皮効果」を低減するようにされる。個々の撚り線の束は、同一の断面積を有する１つの固体撚り線／導線より、低いＡＣ抵抗を有する。ＡＣ抵抗は、構成部品における全損失、即ちＤＣ抵抗、表皮効果、近接効果、及び鉄損を示す抵抗と解釈されてよい。
【０００５】
更に、リッツ線の最善の効果を得るには、一定のパターンのリッツ構造の各個別の撚り線を、中心から外側及び後方へと所定の長さ分を動かして、位置決めをすることが不可欠である。
【０００６】
コイル内のコネクタ・ピンは、ワイヤの端部を接続するよう使用されるため、コイルの周囲にワイヤを巻き付ける以前にワイヤの一端が固定され、続いて巻付けの後に他端が固定される。ワイヤの固定は、ワイヤの半田付けに先立って、特定の位置にワイヤを維持するよう実行され、従来技術での固定は、ワイヤをピンの周囲に複数回巻き付けることによって実行される。
【０００７】
図１に示す通り、既知のコイル１では、コネクタ・ピンは一般的に、参照符号２のＬ型、又は参照符号３のＩ型である。従来技術のピンの周囲でのワイヤの安定した位置決めを確立するよう、ワイヤは、図１中、ピンの周囲を原則的に２回乃至４回巻き付けられる。従って、図１中参照符号「ａ」で示されるピンのその部分の範囲は、一般的にワイヤの直径の少なくとも２倍乃至４倍であり、その結果コイルの幅が広がる。
【０００８】
更に、リッツ線が従来技術のピンの周囲に巻き付けられる際、実際のところ個々の撚り線自体が真っ直ぐに伸びるため、リッツ線がピンから離れる傾向があり、従ってワイヤとピンとの間に距離が作られる。これによって、半田付け工程における半田が滑り落ち、半田付けが本来有すべきはずの効果を有さない。
【０００９】
しかしながら、リッツ線の剥離は、すず半田の毛管現象により、半田付けの直接的な不利点とはならない。しかし、過度に緩んだワイヤは、巻付けと半田付けとの間の時間に、ずれるかほどける可能性があり、この場合は、半田付け不良、更には短絡回路を招く結果になりうる。
【００１０】
欧州特許第０３０４５９３号明細書（特許文献１）で開示されるコイルでは、ワイヤはコネクタ・ピンの近くに保持され、ピンは曲げられて、ワイヤの周囲を締め付けて半田付け工程以前にワイヤをこの位置に維持するようにされる。この締付け工程は、巻付け工程に使用される力により、コイルの巻付け工程以前にリッツ線を保持するには十分ではなく、従ってこれらのピンはリッツ線には有用ではない。
【００１１】
上述の通りリッツ線を固定ピンの周囲に複数回巻き付けるだけでは、半田付け以前及び半田付け中、リッツ線を適所に維持することは可能ではないため、コイル内の既知のコネクタ・ピンで、リッツ線に特に使用可能なものはない。
【００１２】
更に、半田付けの最善の効果を得るには、リッツ線内の全ての撚り線は、半田付けされなければならず、従って半田付け工程を受けなければならないが、それは、撚り線が多くの場合真っ直ぐに伸びた本来の形状に戻ろうとし、リッツ線自体がピンから離れるため、ピンの周囲にリッツ線を巻き付けることのみでは正確に行なわれない。
【特許文献１】欧州特許第０３０４５９３号明細書
【発明の開示】
【発明が解決しようとする課題】
【００１３】
本発明の目的は、ワイヤと固定ピンとの間の接触が得られ、また、個々の撚り線が、ワイヤを固定する間に多かれ少なかれ半田付け工程を受ける、コイルを提供することである。
【００１４】
本発明の他の目的は、リッツ線に好適であり、また、ワイヤの半田付け以前にワイヤを固定する間個々の撚り線を広げる、コイルを提供することである。
【００１５】
本発明の更なる目的は、コイルの高さ及び幅を最小限に抑えることである。
【課題を解決するための手段】
【００１６】
上述の目的は、本発明による、ワイヤの直径に等しいかそれよりも小さい内部幅を有するスロットを形成するＵ型部を有するピンの端部によって達成されうる。
【００１７】
スロットの内部幅はワイヤの直径と等しいかそれよりも小さいため、ワイヤはスロットに堅く固定され、ワイヤの更なる固定は、固定ピンの周囲に１回ワイヤを巻き付けてから再度スロットに固定することによって得られる。ワイヤの更なる固定は、コイルの巻付け工程以前のワイヤの固定で使用される。
【００１８】
本発明のコイルにより、固定ピンは、巻付け中はワイヤに安定した固定位置を与え、また、固定ピンはリッツ線用に使用されえ、従ってその後の半田付け工程の有効な基礎を作るとともに、上述した従来技術の課題を解決する。
【００１９】
本発明によるコイルは、更に、従来技術のコイルに関して、コイルの幅を広げることなく、取り付けられたコイルの高さを低減する固定ピンを与える。
【００２０】
本発明によるコイルの使用により、ワイヤをコイル用の固定ピンのスロットに取り込むことによって、ワイヤの固定を実行する。コイルの巻付け工程に先立って、固定ピンの周囲に１回ワイヤを巻き付けてから、再度スロットに取り込むことが有利になりうる。これによって、リッツ線が上述した弾力性のためにピンから離れることなく、固定ピンによってリッツ線を固定する。
【００２１】
更に、リッツ線が変形されるため、ワイヤの個々の撚り線の多くが半田付け工程を受ける。これによって、ワイヤとピンとの狭い距離及び撚り線間の狭い相互距離のために、半田付け工程中に毛管効果が利用でき、これは当業者にとって驚くべきものである。
【００２２】
本発明による有利な実施例において、固定ピンの端部は、コイルから半径方向に水平に又は垂直に突出する。これによって、ワイヤの安定した位置決めを脅かすことなく、コイルの高さを最小限に抑えることができる。
【００２３】
本発明による有利な実施例において、スロットの幅は、スロットの終端に向かって減少する。この減少する幅によって、多種の直径を備えるワイヤの固定が可能になる。
【００２４】
固定ピンという用語は、本明細書においては、ピンと同様に、ロッド、棒、ポール、スティック、管、チューブ、柄、又はスタンプの形状での、あらゆる種類の、曲げ性のある剛性な金属又は半田付け可能なめっきで覆われた金属として解釈されるべきである。
【００２５】
固定という用語は、本明細書においては、ここではワイヤである可動の対象の、ここでは固定ピンである固定されている対象への固定として、解釈されるべきであり、可動の対象は、安定した位置に維持されるだけではなくしっかりと保持される。
【発明を実施するための最良の形態】
【００２６】
上述及び本発明の更なる利点は、添付の図面を参照し、本発明の望ましい実施例に関する実例となり且つ限定されない以下の詳細の説明を通して、よりよく理解されるであろう。
【００２７】
全ての図は、概略図であり且つ実物大ではなく、本発明の望ましい実施例の説明に必要な部分のみを示す。
【００２８】
図２は、本発明の第１の実施例により、２つの固定ピン２ａ及び固定ピン２ｂと、コイル１の周囲にワイヤ４を巻き付ける以前に第１のピン２ｂに固定され、同様に、巻付け工程後には第２のピン２ａに固定されるワイヤ４とを有する、コイル１を示す。
【００２９】
図３は、本発明の第１の実施例による図２を、上方からみたコイル１を示す図である。コイル１は、望ましくはリッツ線である編まれたワイヤ４を固定する端部を具備するピン２を有し、ピン２の端部はスロット５を形成するＵ型部３を有し、スロット５はワイヤ４の直径と等しいかそれよりも小さい内部幅を有し、スロット５はワイヤ４の半田付け前および半田付け中に、有利な方法でワイヤ４を固定してよい。
【００３０】
これによって、ワイヤ４は、スロット５に取り込まれたワイヤ４の変形による、ワイヤ４の表面とスロット５の内側との間の摩擦によって、スロット５に固定される。リッツ線４の個々の撚り線は、ワイヤ４がスロット５への固定される間に、互いに対して若干広がり、従ってピン２は、ワイヤ４の略殆どと個々の撚り線との接触を有し、それがワイヤ４と個々の撚り線の最適な半田付けの有効な基礎を作る。
【００３１】
図２及び図３中、固定ピン２は、コイル１から半径方向に突出するＵ型部３を有するよう示される。図３に示す通り、固定ピン２のＵ型部３は、コイル１の略水平平面にあり、スロット５の中心軸は、コイル１の中心軸に対して９０度の角度にある。
【００３２】
本発明による他の実施例では、スロットの幅は、スロット５の閉端部に向かって減少するため、より広がったＵ型（図示せず）を形成する。
【００３３】
更に固定ピン２のＵ型部３は、スロット５の下部ではより直線的であってよく、より矩形のＵ型スロット（図示せず）を形成する。
【００３４】
本発明の更なる実施例では、スロット５の形状はＶ型であるため、異なる直径のワイヤを受容する。この点において、本発明の構想から離れることなく、スロットの設計又は形状を、使用される個々のワイヤに対して変更することが可能である。スロットの形状に共通しているのは、スロットが、取り込むワイヤの直径と等しいかそれよりも小さい幅を有することである。
【００３５】
本発明による有利な方法で、固定ピン２のＵ型部３は、コイル１から半径方向に垂直に突出してよく、スロット５はコイル１の中心軸に対して平行である。
【００３６】
本発明の更なる望ましい実施例では、固定ピン２のＵ型部３は、コイル１から半径方向に突出してよく、スロット５の中心軸６は、コイル１の中心軸７に対して任意の角度にある。これにより、スロット５の中心軸６とコイル１の中心軸７との間の角度の選択は、コイルの製造の最適化中に、コイルの最善且つもっとも効果的な製造方法を見出す際に、当業者によって認識される。
【００３７】
本発明により、リッツ線は、例えば以下の寸法(個々の撚り線の数×直径)、１６×０．１ｍｍ、２０×０．１ｍｍ、２０×０．７１ｍｍ、２５×０．０７１ｍｍ、８０×０．０７１ｍｍ、４×０．２ｍｍを有してよく、また、内部幅０．２５ｍｍを有するスロットとの接続に使用されてよく、また、例えば８０×０．１ｍｍの寸法を有するリッツ線は、内部幅０．８ｍｍを有するスロットとの接続に使用されてよい。これらの例は、ワイヤの直径と比較して、スロットのより小さい幅によって有利となることが示され、従ってワイヤの安定した位置が得られる。
【００３８】
ワイヤがスロットに取り込まれ、ワイヤ４の個々の撚り線は更にスロット５におけるワイヤ４の固定において若干広げられるため、夫々のスロットとの接続における上述のリッツ線の使用は、ワイヤがある程度変形されることを示す。これにより、ピン２とワイヤ４との間の小さな距離及び撚り線間の小さな相互距離によって、毛細効果を利用して、ワイヤの撚り線間に半田を吸い込ませることができる。
【００３９】
実際、図１中の距離は、図３中の距離ｂより長く示されている。このため、既知のＬ型及びＩ型の固定ピンと比較して、コイルの高さを高くすることなくコイルの幅を狭めるので、本発明の固定ピンを有利なものとする。
【００４０】
更に、本発明によるコイルは、ビーマ又はＬＣＤ投影型テレビ用ＵＨＰイグニッション変圧器等の、電力変換の用途に有利に使用されてうる。
【００４１】
更に、本発明によるコイルは、ＳＭＤ（表面実装型装置）の取付けに使用されてうる。
【００４２】
本発明は、本発明の望ましい実施例によって開示されるが、請求項に定義される本発明から逸脱することなく、複数の改善が可能であることは、当業者にとって明らかである。
【図面の簡単な説明】
【００４３】
【図１】既知のＬ型コネクタ・ピン及び既知のＩ型コネクタ・ピンを具備するコイルを示す図である。コイルがＩ型及びＬ型両方のコネクタ・ピンを含むのは、図解を目的とするためのみである。
【図２】横から見たコイルを示し、本発明による固定ピンの位置を図解する図である。
【図３】図２を上方からみたコイルの配置を示す図である。
【図１】
2006503430.tif 000003
【図２】
2006503430.tif 000004
【図３】
2006503430.tif 000005
【国際調査報告】
2006503430.tif 000006
2006503430.tif 000007
2006503430.tif 000008